(57)【要約】【課題】胴ベルトに連結されたロープが作業の邪魔にならず、ロープの長さも有効利用可能であり、かつ安全帯の規格を満たす安全帯の提供。【解決手段】本発明に係る安全帯２は、腰に装着される胴ベルト４、誘導ベルト１０、命綱１８、２０及びフック２２を備えている。この誘導ベルト１０の両端は、胴ベルト４に取り付けられている。この誘導ベルト１０は、胴ベルト４に対して弛んだ状態で胴ベルト４に沿って伸びている。この命綱１８の一端が胴ベルト４に固定されている。命綱１８の他端が環１６に連結されている。この命綱２０の一端が環１６に連結されている。この命綱２０の他端がフック２２に連結されている。この誘導ベルト１０は、環１６に通されている。この環１６が誘導ベルト１０に沿って移動可能にされている。この安全帯２に使用される部品セットは、誘導ベルト１０、連結環８及び環１６を備えている。【選択図】図１
2010075511.tif 000002
【特許請求の範囲】
【請求項１】
腰に装着される胴ベルト、誘導ベルト、命綱及びフックを備えており、
この誘導ベルトの両端が胴ベルトに固定されており、
この誘導ベルトが胴ベルトに対して弛んだ状態で胴ベルトに沿って伸びており、
この命綱の一端が胴ベルトに固定されており、
この命綱の他端がフックに連結されており、
この命綱の両端の間に環が連結されており、
この誘導ベルトが環に通されており、
この環が誘導ベルトに沿って移動可能にされている安全帯。
【請求項２】
上記命綱が第一ロープ及び第二ロープを備えており、
この第一ロープの一端が胴ベルトに固定されており、
この第一ロープの他端が環に連結されており、
この第二ロープの一端が環に連結されており、
この第二ロープの他端がフックに連結されている請求項１に記載の安全帯。
【請求項３】
サポータベルトを備えており、
このサポータベルトが胴ベルトの内側に沿って取り付けられている請求項１又は２に記載の安全帯。
【請求項４】
一対の連結環を備えており、
一方の連結環が誘導ベルトの一端に連結されており、
他方の連結環が誘導ベルトの他端に連結されており、
この誘導ベルトが連結環により胴ベルトに装着されている請求項１から３のいずれかに記載の安全帯。
【請求項５】
上記環が胴ベルトから離れる向きに引かれて誘導ベルトが引張力により張った状態で、
胴ベルトに固定された一端から環までの命綱の部分が弛んだ状態に維持される長さにされている請求項１から４のいずれかに記載の安全帯。
【請求項６】
上記命綱の引張強さが誘導ベルトの引張強さより大きい請求項５に記載の安全帯。
【請求項７】
誘導ベルト、連結環及び環を備えており、
この誘導ベルトの両端にそれぞれ連結環が連結されており、
この連結環が胴ベルトに装着可能にされており、
この環が誘導ベルトに沿って移動可能に誘導ベルトに通されている、
安全帯に使用される部品セット。
【請求項８】
Ｄ環及び連結ロープを備えており、
この連結ロープの一端がＤ環に連結されており、
この連結ロープの他端が上記環に連結されている請求項７に記載の部品セット。
【請求項９】
Ｄ環、命綱及びフックを備えており、
この命綱の一端がＤ環に連結されており、
この命綱の他端にフックが連結されており、
このＤ環とフックとの間の命綱の部分に環が連結されている請求項７に記載の部品セット。
【発明の詳細な説明】
【技術分野】
【０００１】
本発明は、高所作業等に使用される安全帯に関する。
【背景技術】
【０００２】
高所作業用安全帯は、その先端にフックが連結されたロープを備えている。このロープが命綱である。このロープの他端にＤ環が連結されている。このＤ環は、胴ベルトに取り付けられている。高所作業者は、安全帯の胴ベルトを腰に巻いて装着する。ロープの先端に連結されたフックが構造物に係止される。高所作業者は、このロープの長さで制限された範囲で作業をする。万が一、作業者が高所から落下した時には、この安全帯により墜落事故が防止される。
【０００３】
このＤ環は、一般には安全帯を装着した作業者の腰の側面に位置するように胴ベルトに固定される。例えば、Ｄ環が左側に位置する安全帯をした作業者は、左側の構造物にフックを係止する。これにより、安全帯を装着した作業者は円滑に作業できる。
【０００４】
作業場所によっては、右側の構造物にフックを係止して作業せざるを得ないことがある。フックが右側に係止された状態では、作業者のロープの有効長さは短い。作業者の移動可能範囲がより制限される。このロープは、作業者の前後いずれかを横切って左右方向に引っ張られる。このロープは、作業の邪魔になる。
【０００５】
Ｄ環が胴ベルトに対して移動可能にされた安全帯が、提案されている。この安全帯では、胴ベルトの中央部分に別のベルト片が縫い付けられている。このベルト片は、胴ベルトに沿って伸びている。このベルト片の両端が胴ベルトに縫い付けられている。Ｄ環は、胴ベルトに通されている。Ｄ環は、ベルト片が縫い付けられた両端の間で移動可能に取り付けられている。
【０００６】
この安全帯では、Ｄ環が胴ベルトの長手方向に移動可能である。フックが、左方、後方又は右方のいずれの向きの構造物に係止されても、それに対応してＤ環が胴ベルトに沿って適当な位置に移動する。この安全帯のロープは、その長さを有効に利用できる。この安全帯のロープは、作業の邪魔になることが抑制されている。
【特許文献１】実公昭６０−７０８５公報
【発明の開示】
【発明が解決しようとする課題】
【０００７】
しかしながら、Ｄ環が胴ベルトに沿って移動する安全帯は、安全帯の規格に適合しない。安全帯の規格では、ロープと胴ベルトとを連結する環が胴ベルトに沿って動かないようにしなければならない。Ｄ環が胴ベルトに沿って移動する安全帯は、この安全帯の規格に適合しない。
【０００８】
本発明の目的は、胴ベルトに連結されたロープが作業の邪魔にならず、ロープの長さも有効利用可能であり、かつ安全帯の規格を満たす安全帯の提供にある。
【課題を解決するための手段】
【０００９】
本発明に係る安全帯は、腰に装着される胴ベルト、誘導ベルト、命綱及びフックを備えている。この誘導ベルトの両端は、胴ベルトに固定されている。この誘導ベルトは、胴ベルトに対して弛んだ状態で胴ベルトに沿って伸びている。この命綱の一端は、胴ベルトに固定されている。この命綱の他端は、フックに連結されている。この命綱の両端の間に環が連結されている。この誘導ベルトは、環に通されている。この環は、誘導ベルトに沿って移動可能にされている。
【００１０】
好ましくは、この安全帯の命綱は、第一ロープ及び第二ロープを備えている。この第一ロープの一端は、胴ベルトに固定されている。この第一ロープの他端は、環に連結されている。この第二ロープの一端は、環に連結されている。この第二ロープの他端は、フックに連結されている。
【００１１】
好ましくは、この安全帯は、サポータベルトを備えている。このサポータベルトは、胴ベルトの内側に沿って取り付けられている。
【００１２】
好ましくは、この安全帯は、一対の連結環を備えている。一方の連結環は、誘導ベルトの一端に連結されている。他方の連結環は、誘導ベルトの他端に連結されている。この誘導ベルトは、連結環により胴ベルトに装着されている。
【００１３】
好ましくは、この安全帯の環が胴ベルトから離れる向きに引かれて誘導ベルトが引張力により張った状態で、胴ベルトに固定された一端から環までの命綱の部分は弛んだ状態に維持される長さにされている。
【００１４】
好ましくは、この安全帯の命綱の引張強さが誘導ベルトの引張強さより大きい。
【００１５】
本発明にかかる部品セットは、安全帯に使用されるものである。この部品セットは、誘導ベルト、連結環及び環を備えている。この誘導ベルトの両端に、それぞれ連結環が連結されている。この連結環は、胴ベルトに装着可能にされている。この環は、誘導ベルトに沿って移動可能に誘導ベルトに通されている。
【００１６】
好ましくは、この部品セットは、Ｄ環及び連結ロープを備えている。この連結ロープの一端は、Ｄ環に連結されている。この連結ロープの他端は、上記環に連結されている。
【００１７】
好ましくは、この部品セットは、Ｄ環、命綱及びフックを備えている。この命綱の一端が、Ｄ環に連結されている。この命綱の他端にフックが連結されている。このＤ環とフックとの間の命綱の部分に、環が連結されている。
【発明の効果】
【００１８】
この安全帯のロープは、その長さを有効に利用できる。この安全帯のロープは、作業の邪魔になることが抑制されている。更に、安全帯の規格に適合しうる。
【発明を実施するための最良の形態】
【００１９】
以下、適宜図面が参照されつつ、好ましい実施形態に基づいて本発明が詳細に説明される。
【００２０】
図１は、本発明の一実施形態に係る安全帯２が示された概念図である。図２は、図１の安全帯２の構成が示された分解図である。この安全帯２は、胴ベルト４、バックル６、連結環８、誘導ベルト１０、Ｄ環止め１２、Ｄ環１４、環１６、連結ロープ１８、ロープ２０、フック２２及びサポータベルト２４を備えている。
【００２１】
この胴ベルト４は、平たい帯状である。図２では、胴ベルト４は、左右方向に伸びている。この胴ベルト４の長さは、作業者の腰に巻くことが可能の長さである。この胴ベルト４の一端にはバックル６が取り付けられている。このバックル６は、胴ベルト４の他端を留める機能を備えている。
【００２２】
誘導ベルト１０は、平たい帯状である。この誘導ベルト１０は、胴ベルト４より短い。誘導ベルト１０は、胴ベルト４より細い。この誘導ベルト１０の一端には、一方の連結環８が連結されている。誘導ベルト１０の他端には、他方の連結環８が連結されている。環１６は、金属製のリングである。この環１６は、誘導ベルト１０に通されている。この環１６は、誘導ベルト１０に沿って移動可能にされている。
【００２３】
連結ロープ１８及びロープ２０が、命綱である。連結ロープ１８が命綱の第一ロープである。ロープ２０が命綱の第二ロープである。図２のロープ２０は、左右に伸びている。ロープ２０の一端には、輪が形成されている。ロープ２０の他端には、フック２２が連結されている。この連結ロープ１８の引張強さは、誘導ベルト１０の引張強さより大きい。このロープ２０の引張強さは、誘導ベルト１０の引張強さより大きい。
【００２４】
サポータベルト２４は、帯状である。サポータベルト２４は、胴ベルト４より短い。サポータベルト２４は、胴ベルト４より幅が広く、厚い。サポータベルト２４は、クッション性を備えている。サポータベルト２４は、その両端及び中央にベルト通し４０を備えている。このベルト通し４０は、上下一対のベルト通し片からなる。この上下のベルト通し片の一端はそれぞれサポータベルト本体に固定されている。この上下のベルト通し片の他端は面ファスナーを構成している。この面ファスナーにより、上下のベルト通し片が面着されている。これにより、ベルト通し４０が構成されている。
【００２５】
図３は、連結環８及び胴ベルト４の一部が示された部分分解図である。この安全帯２は、一対の連結環８を備えている。連結環８は、板状である。この連結環８は、通し孔２６、２８及び連結孔３０を備えている。連結環８は、金属製である。
【００２６】
図４は、Ｄ環止め１２、Ｄ環１４及び胴ベルト４の一部が示された部分分解図である。Ｄ環止め１２は、板状である。Ｄ環止め１２は、通し孔３２及び３４を備えている。Ｄ環止め１２は、金属製である。Ｄ環１４は、リング本体３６及び管３８を備えている。このリング本体３６及び管３８は、金属製である。リング本体３６は、Ｄ字形状のリングである。このリング本体３６の直線状に伸びる部分が、管３８に通されている。このリング本体３６は、管３８に回動可能に支持されている。
【００２７】
図３の２点鎖線の矢印Ａは、連結環８への胴ベルト４の通し方を示している。胴ベルト４は、通し孔２６を内側から外側に向かって通される。更に、胴ベルト４は、通し孔２８を外側から内側に向かって通される。これにより、連結環８は、胴ベルト４に位置決めされている。連結環８は、胴ベルト４に固定されている。なお、ここでいう固定とは、連結管８が外力により容易に胴ベルト４の長手方向に摺動しない程度に位置決めされている状態を含む。
【００２８】
図４の２点鎖線の矢印Ｂは、Ｄ環止め１２及びＤ環１４への胴ベルト４の通し方を示している。胴ベルト４は、矢印Ｂに示されるようにＤ環止め１２の通し孔３２を内側から外側に通される。胴ベルト４は、Ｄ環１４のリング本体３６に通される。胴ベルト４は、Ｄ環止め１２の通し孔３４を外側から内側に通される。これにより、Ｄ環１４の管３８は、通し孔３２と通し孔３４との間で、内側に位置するＤ環止め１２と外側に位置する胴ベルト４とに挟まれて位置決めされる。これにより、Ｄ環１４は、胴ベルト４に位置決めされる。Ｄ環１４は、胴ベルト４に固定されている。なお、ここでいう固定とは、Ｄ環１４が外力により容易に胴ベルト４の長手方向に摺動しない程度に位置決めされている状態を含む。
【００２９】
図１に示されるように、一方の連結環８は、バックル６とＤ環止め１２との間で胴ベルト４に取り付けられている。他方の連結環８は、胴ベルト４の他端とＤ環止め１２との間で胴ベルト４に取り付けられている。この連結環８は、作業者が胴ベルト４を装着した状態で身体の側面に位置するように取付られている。誘導ベルト１０の両端は、それぞれ連結環８の連結孔３０に連結されている。一方の連結環８と他方の連結環８との間の胴ベルト４の長さは、誘導ベルト１０の長さより短い。誘導ベルト１０は、その長手方向に弛んだ状態で胴ベルト４に沿って伸びている。
【００３０】
Ｄ環止め１２は、胴ベルト４の中央に取り付けられて固定されている。このＤ環止め１２は、作業者が胴ベルト４を装着した状態で身体の背面中央付近に位置する。このＤ環止め１２に支持されたＤ環１４のリング本体３６には、連結ロープ１８の一端が連結されている。連結ロープ１８の他端は、環１６に連結されている。ロープ２０の輪が環１６に通される。これにより、ロープ２０が環１６に連結されている。
【００３１】
このサポータベルト２４では、ベルト通し４０の面ファスナーが外される。このサポータベルト２４が胴ベルト４の内側に沿って位置させられる。ベルト通し４０の上下のベルト通し片により、胴ベルト４が挟み込まれる。胴ベルト４が挟み込まれた状態で、ベルト通し４０の面ファスナーが面着される。この安全帯２は、従来の安全帯と同様にサポータベルト２４が装着しうる。このサポータベルト２４は、ベルト通し４０の面ファスナーを備えることにより、Ｄ環止め１２及び連結環８が取り付けられた状態の胴ベルト４に装着可能とされている。これにより、このサポータベルト２４は、作業者の身体と胴ベルト４との間に位置するように取り付けられている。このサポータベルト２４は、胴ベルト４から作業者が受ける外力を緩和する機能を有している。
【００３２】
図５は、図１の安全帯２の使用状態が示された概念図である。図５は、作業者の後方から見た状態が示されている。図１の安全帯２が作業者の腰に巻かれて装着されている。作業者の腰に巻かれた胴ベルト４に沿って、誘導ベルト１０が伸びている。この誘導ベルト１０は、作業者の後に位置している。誘導ベルト１０は、その長手方向に弛んだ状態で伸びている。フック２２は、作業者の右側の構造物４２に係止されている。ロープ２０は、作業者の右側に伸びている。環１６は、誘導ベルト１０に案内されて、誘導ベルト１０の中央より右側に位置している。
【００３３】
この安全帯２では、連結ロープ１８及びロープ２０は、作業者の後方に位置している。この安全帯２では、ロープ２０により、環１６が胴ベルト４から離れる向きに引かれる。環１６が引かれることにより、誘導ベルト１０が引張力により張る。この連結ロープ１８の長さは、誘導ベルト１０が引張力により張った状態でも、弛んだ状態を維持できる長さとされている。ロープ２０により環１６が引かれた状態でも、環１６は誘導ベルト１０に沿ってスムーズに移動可能とされている。連結ロープ１８及びロープ２０は、作業者の身体に巻き付かない。これにより、この安全帯２は、作業者の作業の邪魔になることが抑制されている。
【００３４】
図６は、図１の安全帯２の使用状態が示された概念図である。図６は、作業者の後方から見た状態が示されている。図６は、図５の状態から作業者が構造物４２の右側に移動した状態が示されている。図６では、フック２２は、作業者の左側に位置する構造物４２に係止されている。ロープ２０は、作業者の左側に伸びている。環１６は、誘導ベルト１０に案内されて、誘導ベルト１０の中央より左側に位置している。この連結ロープ１８及びロープ２０は、誘導ベルト１０に案内されて、作業者の後方を左右に移動する。この安全帯２は、作業者の作業の邪魔になることが抑制されている。この安全帯２の連結ロープ１８及びロープ２０は、その長さを有効に利用できる。この安全帯２は、作業者の作業範囲を狭めることが抑制されている。
【００３５】
この安全帯２では、連結ロープ１８がＤ環止め１２及びＤ環１４を介して胴ベルト４に固定されている。この安全帯２では、接続に係る部分に相当するＤ環１４及びＤ環止め１２は、胴ベルト４に沿って動かない。この安全帯２は、安全規格に適合しうる。この安全帯２は、安全規格に適合した商品として商品化しうる。
【００３６】
図７は、図１の安全帯２の使用状態が示された概念図である。図７では、作業者が高所作業車のバケット４４に乗って作業している。フック２２は、図示されないがバケット４４に設置されているフック止めに係止されている。作業者は、高所のバケット４４内で前後左右に移動して作業する。この安全帯２は、高所作業車のバケット４４内での作業に好適である。
【００３７】
この安全帯２では、誘導ベルト１０が引張力により張った状態で、連結ロープ１８は弛んだ状態に維持される。万一作業者が高所から落下した場合には、ロープ２０の引張力は、環１６を介して誘導ベルト１０に伝えられる。この引張力は、誘導ベルト１０から連結環８を介して胴ベルト４に伝えられる。この安全帯２では、左右側面の一対の連結環８により、胴ベルト４に引張力が伝えられる。この安全帯２では、最初に二箇所で落下衝撃が受けられる。最初から一箇所に落下衝撃がかかる安全帯に比べて作業者の受ける落下衝撃が緩和される。更に誘導ベルト１０で支えきれない引張力は、環１６から連結ロープ１８に伝えられる。この連結ロープ１８にかかる引張力は、Ｄ環１４を介して胴ベルト４に伝えられる。この安全帯２では、誘導ベルト１０が緩衝装置として機能しうる。この安全帯２では、作業者の受ける落下衝撃がより緩和される。
【００３８】
この安全帯２の誘導ベルト１０は、胴ベルト４に連結環８により取付られている。この連結環８は、胴ベルト４に対して着脱可能である。この誘導ベルト１０は、既存の安全帯にも装着できる。この誘導ベルト１０、連結環８及び環１６が従来の安全帯に装着されうる。胴ベルトに取り付けられた従来のＤ環と環１６とがロープで連結される。更にこの環１６に従来のフックを備えたロープが連結される。このように、誘導ベルト１０、連結環８及び環１６を備えた部品セットにより、従来の安全帯を本発明にかかる安全帯２として使用しうる。
【００３９】
この部品セットは、Ｄ環１４と連結ロープ１８とを備えることが好ましい。この連結ロープ１８の一端がＤ環１４に連結され、連結ロープ１８の他端が環１６に連結されていることが好ましい。これにより、更に容易に、従来の安全帯を本発明にかかる安全帯２として使用しうる。
【００４０】
図８は、本発明にかかる他の実施形態にかかる安全帯４６の構成が示された分解図である。ここでは、安全帯２と異なる部分が説明される。安全帯２と同様の部分については、その説明が省略される。
【００４１】
安全帯４６では、連結ロープ１８及びロープ２０に代えてロープ４８を備えている。ロープ４８の一端には、輪が形成されている。ロープ４８の他端には、フック２２が連結されている。このロープ４８では、フック２２と輪との間の部分に環取付片５０を備えている。この環取付片５０の先端には、環１６が連結される。このロープ４８の輪は、Ｄ環１４に連結される。この安全帯４６は、安全帯２と同様に使用しうる。この安全帯４６は、安全帯２と同様の効果を達成しうる。
【００４２】
安全帯４６にかかる部品セットは、誘導ベルト１０、連結環８、環１６、ロープ４８及びフック２２を備えている。ロープ４８の一端には、輪が形成されている。ロープ４８の他端には、フック２２が連結されている。このロープ４８では、フック２２と輪との間の部分に環取付片５０を備えている。誘導ベルト１０の両端には、それぞれ連結環８が連結されている。この誘導ベルト１０には、環１６が通されている。環１６は、誘導ベルト１０に沿って移動可能にされている。ロープ４８の環取付片５０が環１６に連結されている。この部品セットによれば、従来の安全帯を容易に本発明にかかる安全帯４６として使用しうる。  
【産業上の利用可能性】
【００４３】
本発明は、電気工事、建設工事及び土木工事他の高所作業に使用される安全帯に適用されうる。特に、高所作業車のバケットに乗ってされる作業に使用される安全帯として好適である。
【図面の簡単な説明】
【００４４】
【図１】図１は、本発明の一実施形態に係る安全帯が示された概念図である。
【図２】図２は、図１の安全帯の構成が示された分解図である。
【図３】図３は、図１の安全帯の連結環及び胴ベルトの一部が示された部分分解図である。
【図４】図４は、図１の安全帯のＤ環止め、Ｄ環及び胴ベルトの一部が示された部分分解図である。
【図５】図５は、図１の安全帯の使用状態が示された概念図である。
【図６】図６は、図１の安全帯の使用状態が示された概念図である。
【図７】図７は、図１の安全帯の使用状態が示された概念図である。
【図８】図８は、本発明にかかる他の実施形態にかかる安全帯の構成が示された分解図である。
【符号の説明】
【００４５】
２・・・安全帯
４・・・胴ベルト
６・・・バックル
８・・・連結環
１０・・・誘導ベルト
１２・・・Ｄ環止め
１４・・・Ｄ環
１６・・・環
１８・・・連結ロープ
２０、４８・・・ロープ
２２・・・フック
２４・・・サポータベルト
２６、２８、３２、３４・・・通し孔
３０・・・連結孔
３６・・・リング本体
３８・・・管
４０・・・ベルト通し
４２・・・構造物
４４・・・バケット
４６・・・安全帯
５０・・・環取付片
【図１】
2010075511.tif 000003
【図２】
2010075511.tif 000004
【図３】
2010075511.tif 000005
【図４】
2010075511.tif 000006
【図５】
2010075511.tif 000007
【図６】
2010075511.tif 000008
【図７】
2010075511.tif 000009
【図８】
2010075511.tif 000010